(57)【要約】【課題】  本発明の目的は、セーブ対象とするディスク装置の容量にかかわらず一台のデータバックアップ装置で経済的かつ効率的にバックアップサービスが可能なデータバックアップ装置を提供することにある。【解決手段】  計算機のディスク装置のデータをバックアップするデータバックアップ装置１０は、高速アクセス可能な高速記憶媒体装置１０ｅ、高速記憶媒体装置１０ｅのアクセス速度より遅い低速記憶媒体装置１０ｆ、中央処理装置１０ｇ、中央処理装置１０ａを操作し、その処理結果を表示する操作表示装置１０ｇとを具備している。中央処理装置１０ｇはディスク装置に対してアドレス情報を含む諸元情報を問合せて高速記憶媒体装置１０ｅと低速記憶媒体装置１０ｆのいずれかを選択して使用する。【選択図】  図２
2006343991.tif 000002
【特許請求の範囲】
【請求項１】
計算機の点検時や障害対応時に前記計算機のディスク装置のデータをバックアップするデータバックアップ装置において、高速アクセス可能な高速記憶媒体装置と、前記高速記憶媒体装置のアクセス速度より遅い低速記憶媒体装置と、中央処理装置と、前記中央処理装置を操作し、その処理結果を表示する操作表示装置とを具備し、前記中央処理装置は前記ディスク装置に対してアドレス情報を含む諸元情報の問合せて前記高速記憶媒体装置と前記低速記憶媒体装置のいずれかを選択して使用するようにしたことを特徴とするデータバックアップ装置。
【発明の詳細な説明】
【技術分野】
【０００１】
本発明は計算機の定期点検時や障害対応時などにディスク装置のデータをバックアップするデータバックアップ装置に関する。
【背景技術】
【０００２】
計算機の点検時や障害対応時に、その対象とする計算機のディスク装置に格納されているデータを破損させる虞がある。これに対処するため、ディスク装置に格納されているデータを一時的により安全なデータバックアップ装置にコピーして点検サービスや保守サービスを実施している。このようなデータバックアップ装置は、例えば、下記特許文献１に記載されている。
【０００３】
ところで、大容量化の一途をたどるディスク装置に対応するにはそれに見合う高速記憶媒体を必要とする。一方、計算機使用の現場には旧型の小容量のディスク装置を使用した計算機も稼動している。計算機を使用しているユーザには、旧型の機器から最新型の機器まであり、これらのデータバックアップを効率的かつ低コストで実施するために、そのディスク装置の容量に見合ったツールを準備している。
【０００４】
また、ディスク装置のアドレスを指定してデータバックアップを行うため、セーブ対象とするディスク装置の諸元うちアドレス情報は予め判っている必要があり、その情報を基に安全なデータバックアップ装置の記憶媒体にコピー（セーブ）している。さらに、セーブ対象とするディスク装置の記憶媒体に欠陥があるとセーブ中に処理が中断する。その欠陥を避けたセーブ範囲を再度指定し、セーブを再開している。
【０００５】
【特許文献１】特開２００３−３３７７３１号公報
【発明の開示】
【発明が解決しようとする課題】
【０００６】
しかし、実際には、新旧計算機が混在する現場に複数のデータバックアップ装置を持ち込むことはせず、旧型で記憶媒体が廉価な低速のバックアップ装置か記憶媒体が高価な高速のバックアップ装置のいずれかを持ち込むことになる。したがって、旧型の計算機に使用されているような小容量のディスク装置に高速のバックアップ装置を使用するとコスト対費用効果が低くなり、反対に、大容量のディスク装置に低速のバックアップ装置を使用するとデータバックアップ作業に多大な時間を要し点検コストが高くなるという問題点を有する。
【０００７】
本発明の目的は、セーブ対象とするディスク装置の容量にかかわらず一台のデータバックアップ装置で経済的かつ効率的にバックアップサービスが可能なデータバックアップ装置を提供することにある。
【課題を解決するための手段】
【０００８】
本発明は、計算機の点検時や障害対応時に計算機のディスク装置のデータをバックアップするデータバックアップ装置において、高速アクセス可能な高速記憶媒体装置と、高速記憶媒体装置のアクセス速度より遅い低速記憶媒体装置と、中央処理装置と、中央処理装置を操作し、その処理結果を表示する操作表示装置とを具備し、中央処理装置はディスク装置に対してアドレス情報を含む諸元情報を問合せて高速記憶媒体装置と低速記憶媒体装置のいずれかを選択して使用するようにしたことを特徴とする。
【発明の効果】
【０００９】
本発明はディスク装置に対してアドレス情報を含む諸元情報の問合せして高速記憶媒体装置と低速記憶媒体装置のいずれかを選択して使用するようにしている。したがって、アドレス情報を含む諸元情報をセーブ対象とするディスク装置から直接取得できるので、諸元情報の事前調査が不要であり、かつ、一台のデータバックアップ装置で経済的かつ効率的にバックアップサービスができる。
【発明を実施するための最良の形態】
【００１０】
計算機のディスク装置のデータをバックアップするデータバックアップ装置は高速アクセス可能な高速記憶媒体装置と、前記高速記憶媒体装置のアクセス速度より遅い低速記憶媒体装置と、中央処理装置と、前記中央処理装置を操作し、その処理結果を表示する操作表示装置とを具備する。中央処理装置はディスク装置に対してアドレス情報を含む諸元情報を問合せて高速記憶媒体装置と低速記憶媒体装置のいずれかを選択して使用する。
【実施例】
【００１１】
以下、本発明の一実施例を添付図面に基づいて詳細に説明する。
【００１２】
図１は本発明のデータバックアップ装置の使用状況を説明図、図２は本発明のデータバックアップ装置の構成図である。
【００１３】
図１に示したように、データバックアップ装置１０は外部の図示しない計算機の点検時や障害対応時に、その計算機のディスク装置１３に接続することにより、ディスク装置１３に格納されているデータを一時的により安全なデータバックアップ装置１０にコピーして点検サービスや保守サービスを実施している。点検サービスや保守サービスが終了した時点で、データバックアップ装置１０にコピーしたデータはディスク装置１３に戻されるとともに、データバックアップ装置１０にコピーしたデータは消去される。
【００１４】
データバックアップ装置１０は、図２に示すように、データバックアップ装置１０の全体制御と外部計算機のディスク装置１３に命令を発行する中央処理装置（ＣＰＵ）１０ａ、データをやり取りする際に転送速度などの差を補うために一時的にデータを保存するバッファメモリ（ＭＥＭ）１０ｃ、中央処理装置１０ａを操作し、その処理結果を表示するための操作表示装置１０ｇ、ディスク装置１３のデータを記憶しバックアップするための高速記憶媒体装置１０ｅと低速記憶媒体装置１０ｆ、基本的な制御を行うためのソフトウエアを記憶するファームウエア用の素子（ＦＡＲＭ）１０ｋなどから構成されている。
【００１５】
図２において、符号１０ｂはバス（Ｂｕｓ）であり、これらの装置はバス１０ｂに接続されている。ただし、操作表示装置１０ｇはインターフェース（ＤＩＳＰ−ＩＦ）１０ｈを介して、高速記憶媒体装置１０ｅと低速記憶媒体装置１０ｆはそれぞれインターフェース（ＳＣＳＩ−ＩＦ）１０ｄを介してバス１０ｂに接続されている。また、外部計算機のディスク装置１３はインターフェース（ＳＣＳＩ−ＩＦ）１０ｉまたはインターフェース（ＩＤＥ−ＩＦ）１０ｊを介してバス１０ｂに接続される。
【００１６】
次に、外部計算機のディスク装置１３のデータをデータバックアップ装置１０に取込む動作を説明する。
【００１７】
操作者は操作表示装置１０ｇから接続されたディスク装置１３のインターフェース種別に対応したインターフェースを指定し、指定したディスク装置１３に対して個別情報識別表示命令を発行し、諸元情報を取得する。取得した諸元情報から記録容量のみを抽出し、抽出した記憶容量の情報に基づいて最大セクターアドレスを算出し、操作表示装置１０ｇに表示する。操作者はこのアドレス情報に基づいて高速記憶媒体装置１０ｅと低速記憶媒体装置１０ｆのいずれを使用するかを決定する。高速記憶媒体装置１０ｅと低速記憶媒体装置１０ｆのいずれを使用するかの判定基準の一例を表１に示す。
【００１８】
表１  高速記憶媒体装置と低速記憶媒体装置のいずれを使用するかの判定
2006343991.tif 000003
【００１９】
註）O:使用する、  Δ:場合により使用する、×:使用しない。
【００２０】
定期点検すなわち計算機の保守時には、定期点検では比較的時間的余裕があること、及び、予めデータバックアップに要する時間が割当てられているので、定期点検に掛かる費用をできるだけ下げることが望まれる。このため、記憶容量が大きいときには高速記憶媒体装置１０ｅを使用することが望ましいが、それ以外の場合は、特別な事情が無い限り低速記憶媒体装置１０ｆが使用される。これに対して、復旧に一刻を争う障害対応時には、記憶容量に拘らず、高速記憶媒体装置１０ｅを使用することが望ましい。
【００２１】
また、アドレス情報はディスク装置１３の全領域を示しているので、データバックアップ範囲を指定することができる。操作者が操作表示装置１０ｇから領域定義情報表示を指定すると、データバックアップ装置１０はディスク装置１３の特定アドレスから領域の定義情報を抽出し、領域の有無を解析する。その情報から領域毎のアドレス情報を算出し、その結果を操作表示装置１０ｇに表示する。
【００２２】
図３は図１に示したデータバックアップされるディスク装置１３の記憶媒体１５内の領域構成を示した概念図である。図３に示したような領域構成があり、計算機が領域３を使用していない場合を仮定すると、領域３以外の領域をデータバックアップ範囲とすることにより、バックアップ時間はさらに短縮できる。
【００２３】
以上の操作により、使用する記憶媒体装置やデータバックアップ範囲などのデータバックアップ条件が設定される。なお、上記の例では、高速記憶媒体装置１０ｅと低速記憶媒体装置１０ｆのいずれを使用するかの選択、ならびに、使用していない領域のデータバックアップ範囲からの削除は操作者の判断で行われるとしたが、自動的に実施できるようにしてもよいことは言うまでもない。
【００２４】
次に、データバックアップ条件が設定された後に中央処理装置１０ａが行う処理について図４を参照して説明する。
【００２５】
データバックアップ条件が設定されると、ディスク装置１３内のデータは一面分ごとに一時的にデータを保存するバッファメモリ（ＭＥＭ）１０ｃを経由して記憶媒体装置１０ｅまたは１０ｆにコピーされる（図４のＳＡＶＥステップＳ２００ａ）。全てのデータが記憶媒体装置１０ｅまたは１０ｆにコピーされると、計算機の点検または障害対応作業が開始される。
【００２６】
この作業が終了すると、記憶媒体装置１０ｅまたは１０ｆにコピーされたデータは同様に一面分ごとにバッファメモリ（ＭＥＭ）１０ｃを経由してディスク装置１３に再収納される（図４のＬＯＡＤステップＳ２００ｂ）。ディスク装置１３へのデータ再収納が終了すると、一面分ごとに記憶媒体装置１０ｅまたは１０ｆにコピーされたデータとディスク装置１３へ再収納されたデータを読み出しデータ比較して、不具合が検出された場合は、その部分のコピーされたデータをディスク装置１３へ再収納する（図４のＣＯＭＰステップＳ２００ｃ）。
【００２７】
さらに、必要に応じて、テストしたい任意のアドレスを入力することにより、ディスク装置１３から指定したデータが正常に読み出せることをテストする（図４のＴＥＳＴステップＳ２００ｄ）。以上により、データバックアップサービスは完了する。
【００２８】
このようにしてデータバックアップを行うのであるが、ディスク装置に対してアドレス情報を含む諸元情報の問合せして高速記憶媒体装置と低速記憶媒体装置のいずれかを選択して使用するようにしている。したがって、アドレス情報を含む諸元情報をセーブ対象とするディスク装置から直接取得できるので、諸元情報の事前調査が不要であり、かつ、一台のデータバックアップ装置で経済的かつ効率的にバックアップサービスができる。
【００２９】
また、データバックアップ処理中のディスク装置側で媒体に欠陥がありデータが読み取れなかったことを検出したとき、それに該当する部分のデータにダミーデータを充当することにより、バックアップ処理を続行させることもできる。
【図面の簡単な説明】
【００３０】
【図１】本発明によるデータバックアップ装置の使用状況説明図である。
【図２】本発明の一実施例を示す構成図である。
【図３】ディスク装置の記憶媒体内の領域構成を示す概念図である。
【図４】中央処理装置の動作を説明するフロー図である。
【符号の説明】
【００３１】
１０…データバックアップ装置、  １０ａ…中央処理装置、  １０ｂ…バス、  １０ｃ…バッファメモリ、  １０ｄ…インターフェース、  １０ｅ…高速記憶媒体装置、  １０ｆ…低速記憶媒体装置、  １０ｇ…操作表示装置、  １０ｈ…インターフェース、  １０ｉ…インターフェース、  １０ｊ…インターフェース、  １０ｋ…ファームウエア用の素子、  １３…外部計算機のディスク装置、  １５…ディスク装置の記憶媒体。
【図１】
2006343991.tif 000004
【図２】
2006343991.tif 000005
【図３】
2006343991.tif 000006
【図４】
2006343991.tif 000007